(57)【特許請求の範囲】
【請求項１】
受信する放送局を選択するためのチャンネル番号を出力する操作部と、
前記操作部により出力された前記チャンネル番号に基づいて対応する放送電波をチューナに受信させる制御部と、
前記チューナの受信した前記放送電波に基づいた映像を表示する表示部と、
を有するテレビジョン受信機において、
前記チャンネル番号が示すチャンネルにおいて選択可能な複数の周波数からなる周波数情報と、前記周波数情報から前記操作部により選択された周波数を示す選択周波数情報とをチャンネル番号に関連付けて記憶しているオンスクリーン表示記憶部と、
前記選択周波数情報が示す周波数を前記チャンネル番号に関連付けて記憶している受信周波数設定部と、を備え、
前記制御部は、前記操作部の予め定められた操作により、前記オンスクリーン表示記憶部が記憶している前記チャンネル番号、周波数情報、選択周波数情報を読み出し、前記表示部に表示されている映像に重畳または入れ替わって表示するとともに、前記周波数情報から前記操作部によって選択された選択周波数情報に基づいて、前記チューナの受信周波数を前記選択周波数情報が示す周波数に切換操作する、
ことを特徴とするテレビジョン受信機。
【請求項２】
請求項１に記載のテレビジョン受信機において、
前記制御部は、前記操作部の所定の操作に基づいて、前記受信周波数設定部に記憶されている前記チャンネル番号に対応する周波数を、前記選択周波数情報が示す周波数に書き換える、
ことを特徴とするテレビジョン受信機。
【発明の詳細な説明】
【０００１】
【発明の属する技術分野】
本発明は、オンスクリーン表示機能を有するテレビジョン受信機に関する。
【０００２】
【従来の技術】
テレビジョン放送は、各局間における混信を防ぐなどのために、放送電波を一定の周波数帯域(チャンネル)ごとに区切り、これを各放送局に割り当てている。そして、このチャンネルは、通常変更されることがない。このため、一般にテレビジョン受信機は、テレビジョン放送局に割り当てられたチャンネル番号と、このチャンネル番号の放送電波を受信するためのチューナの局部発振周波数とが１対１に対応していて、テレビジョン受信機に組み込んだマイクロコンピュータが選局操作に基づいてチューナの局部発振周波数を所定の値に制御し、選択された放送局のテレビジョン放送を受信するようになっている。ところが、何らかの政策的な理由により、割り当てられた周波数帯域がまれに変更されることがある。
【０００３】
例えば、オーストラリアにおいては、従来の放送電波の周波数(映像搬送波周波数)が、６チャンネルから９Ａチャンネルまでの各チャンネル間が７ＭＨｚ間隔、９Ａチャンネルと１０チャンネルとの間が６ＭＨｚ、１０チャンネルと１１チャンネルとの間が７ＭＨｚ、１１チャンネルと１２チャンネルとの間が８ＭＨｚとなるように設定していた。しかし、オーストラリアでは、１９９６年以降に新たにテレビジョン放送局を開局する場合、各チャンネル番号間の放送電波の周波数間隔が７ＭＨｚとなるように、１０チャンネルと１１チャンネルとは、従来より１ＭＨｚ高い周波数の放送電波で放送することが義務付けられた。
【０００４】
従って、オーストラリアの場合、１０チャンネルと１１チャンネルとについては、従来からの周波数(以下、標準周波数という)で放送する放送局と、標準周波数より１ＭＨｚ高い周波数(以下、新周波数という)で放送する放送局とが混在する可能性がある。このため、従来のテレビジョン受信機では、チャンネル番号とチューナの局部発振周波数とが１対１で対応しているため、１９９６年以降に開局する放送局のテレビジョン放送を受信することができない。また、新周波数に対応したテレビジョン受信機では、標準周波数で放送しているテレビジョン放送を受信することができなくなる。このため、標準周波数のテレビジョン放送と、新周波数のテレビジョン放送とを受信できるテレビジョン受信機が望まれる。
【０００５】
ところで、テレビジョン受信機の中には、接続されたゲーム機やビデオデッキなどから入力する放送電波以外の非標準テレビジョン信号を受信することを目的として、チューナの局部発振周波数を変化させる周波数調整機能を有するものがある。このテレビジョン受信機の周波数調整機能は、テレビジョン受信機の操作部(リモコン)の所定のキーを押下するごとに、局部発振周波数を一定周波数ずつステップ状に変化させるようになっている。すなわち、これは、１回のキーの押下操作によってチューナの受信周波数を数十ｋＨｚ（一般的には６２．５ｋＨｚ）ずつ微調整し、非標準テレビジョン信号を最良の品位で受信できるようにすることを目的としている。例えば、受信周波数を高い方に調整する場合、図５に示したようにして周波数の調整が行なわれる。
【０００６】
図５のステップ１０に示したように、利用者が周波数をステップ・アップする方向のリモコンの所定キーを押下すると、テレビジョン受信機のマイクロコンピュータは、そのキーの押下操作が周波数の調整範囲における操作であるか否かを判断する(ステップ１１)。すなわち、前記マイクロコンピュータは、周波数ステップ・アップキーの押下回数をカウントしており、その回数が予め設定されている上限値以下であるか否かを判断する。そして、周波数ステップ・アップキーの押下回数が上限値を越えている場合、ステップ１１からステップ１２に進んで周波数変更操作を無効にする。従って、局部発振周波数は、周波数調整可能な上限の周波数のまま変化しない。
【０００７】
一方、前記マイクロコンピュータは、ステップ１１において、周波数ステップ・アップキーの押下回数が上限値以下であると判断した場合、ステップ１３に進み局部発振周波数を現在の周波数より例えば６２．５ｋＨｚ上げる。そして、ステップ１４において、この新たな局部発振周波数のデータをチューナ(電子チューナ)に出力する。このようにして、受信周波数の微調整が行なわれる。
【０００８】
【発明が解決しようとする課題】
ところが、テレビジョン受信機における周波数調整機能は、１回のキーの押下、すなわち１ステップで変わる周波数が一般に６２．５ｋＨｚであって、上記したオーストラリアの場合のように、放送電波の周波数が１ＭＨｚずれた場合、１６回もキーの押下操作を行なわなければならない。このため、１ＭＨｚの周波数調整を行なう場合、操作が煩雑であるとともに、多数回のキー操作を必要とするため、操作回数の数え間違い等、周波数調整が容易でない。しかも、利用者が画面に表示された映像の状態とスピーカから出力される音声とに基づいて、周波数の調整ができたか否かを判断する必要があり、正確に周波数調整が行なわれないこともある。
【０００９】
本発明は、前記従来技術の欠点を解消するためになされたもので、１つのチャンネルについて標準周波数と、この標準周波数に対して異なる周波数とがある場合に、両者を容易に切り換えて受信できるようにすることを目的としている。
【００１０】
【課題を解決するための手段】
本発明は、前記従来技術の欠点を解消するために、放送局を選択する選局情報を出力する操作部と、前記操作部により出力された前記選局情報に基づいて対応する放送電波をチューナに受信させる制御部と、前記チューナの受信した前記放送電波に基づいた映像を表示する表示部と、を有するテレビジョン受信機において、前記選局情報に対応して受信する放送電波の周波数を記憶している受信周波数設定部と、前記受信周波数設定部において記憶している周波数とは異なる放送電波の周波数情報と、前記周波数情報から前期操作部により選択された選択周波数情報とを放送局を特定する受信局情報に関連付けて記憶しているオンスクリーン表示記憶部を備え、前記制御部は、前記操作部の予め定められた操作により、前記オンスクリーン表示記憶部が記憶している前記受信局情報、周波数情報、選択周波数情報を読み出し、前記表示部に表示されている映像に重畳または入れ替わって表示するとともに、前記制御部が読み出した周波数情報から前記操作部によって選択された選択周波数情報に基づいて、前記チューナの受信周波数を前記選択周波数情報に切換操作する、ことを特徴としている。
【００１１】
このようになっている本発明は、操作部の予め定めた操作が行なわれると、制御部がオンスクリーン表示記憶部に記憶されている受信局情報、異なる放送電波の周波数情報、選択周波数情報を読み出し、表示部に表示されている映像に重畳または入れ替わって表示する。さらに、制御部は、操作部から出力される選局情報に基づいて、選択周波数情報を切換操作してチューナの受信周波数を選択された周波数に切り換える。したがって、１つのチャンネル番号の放送電波に対して標準周波数と新周波数とがある場合に、周波数の切換操作を容易に行なうことができる。
【００１２】
また、前記制御部は、前記操作部の所定の操作に基づいて、前記受信周波数設定部に記憶されている放送電波の周波数を、前記周波数情報から前記操作部により選択された、前記選択周波数情報に書き換えるようにできる。
【００１３】
オンスクリーン表示記憶部が記憶している受信局情報、周波数情報、選択周波数情報を読み出し、表示部に表示されている映像に重畳または入れ替わって表示する機能は、受信周波数設定部において記憶している周波数とは異なる放送電波の存在するチャンネルに限定されて動作するように構成できる。
【００１４】
このように、制御部は、操作部の所定の操作に基づいて、受信周波数設定部に記憶されている放送電波の周波数を、周波数情報から操作部により選択された選択周波数情報に書き換えるため、放送電波の選択操作による周波数情報が維持され、放送電波の切換操作の煩雑さがなくなる。
【００１５】
【発明の実施の形態】
本発明に係るテレビジョン受信機の好ましい実施の形態を、添付図面に従って詳細に説明する。
図１は、本発明の実施の形態に係るテレビジョン受信機のブロック図である。図１において、テレビジョン受信機本体２０は、放送電波である高周波テレビジョン信号を受信するためのアンテナ２２に接続したチューナ２４を備えている。
【００１６】
チューナ２４は、電子チューナであって、アンテナ２２が受信した高周波テレビジョン信号を増幅する高周波増幅回路２６、制御部４０からバスラインを介して受信周波数の情報を受けるＰＬＬ（Ｐｈａｓｅ  Ｌｏｃｋｅｄ  Ｌｏｏｐ）回路２８、ＰＬＬ回路の出力信号によって発振周波数が制御される局部発振回路３０と、高周波増幅回路２６の出力信号と局部発振回路３０の出力信号とを混合して中間周波信号を出力するミキサ３２とを備えている。
【００１７】
チューナ２４の出力側には、音声回路５０と映像回路６０とが接続されている。音声回路５０は、チューナ２４の出力信号から音声中間周波信号を取り出す表面弾性波フィルタから構成された音声用フィルタ５２と、音声用フィルタ５２の出力側に設けた音声検波回路５４と、音声検波回路５４の出力側に接続した音声処理回路５６とを有している。そして、音声処理回路５６の出力側にはスピーカ４２が接続されている。
【００１８】
一方、映像回路６０は、チューナ２４の出力信号から映像中間周波信号を取り出す表面弾性波フィルタから構成された映像用フィルタ６２と、映像用フィルタ６２の出力側に接続した映像検波回路６４と、映像検波回路６４の出力側に設けた映像復調回路６６とを有している。そして、映像検波回路６４は、映像用フィルタ６２の出力信号から複合映像信号を取り出し、映像復調回路６６は、映像検波回路６４の出力した複合映像信号からＲＧＢの原色信号に色復調し、出力側に接続してある表示部４４に映像として表示する。
【００１９】
また、映像検波回路６４には、同期検出回路４６が接続されており、複合映像信号から同期信号を検出し、テレビジョン放送の選局信号として制御部４０に入力する。制御部４０は、マイクロコンピュータ（マイコン）からなっていて、操作部（リモコン）４８から選局情報や音量調節情報などが入力されるようになっている。また、制御部４０には、オンスクリーン表示記憶部（ＯＳＤ記憶部）７０と、受信周波数設定部７２とが接続してある。
【００２０】
ＯＳＤ記憶部７０は、不揮発性メモリから構成されており詳細を後述するように、表示部４４に表示されている映像に重畳して表示（オンスクリーン表示）するため、受信しているテレビジョン放送局をチャンネル番号で示す選局情報、その放送局について選択すべき複数の放送電波を示す周波数情報、どの放送電波が選択されているかを示すための選択周波数情報、さらにはスピーカ４２から出力される音量の程度を表示する音量情報などを記憶している。また、受信周波数設定部７２は、不揮発性メモリから構成されており、受信する放送電波の周波数（局部発振周波数）を選局情報（チャンネル番号）に対応して記憶している。なお、本実施形態の場合、テレビジョン受信機の初期設定は、局部発振周波数の標準周波数がデフォルト指定され、受信周波数設定部７２に記憶させてある。
【００２１】
そして、制御部４０は、リモコン４８から選局情報が入力されると、その選局情報（チャンネル番号）に対応した局部発振周波数を受信周波数設定部７２から読み出し、チューナ２４のＰＬＬ回路２８にバスラインを介して与える。また、制御部４０は、後述するように、リモコン４８の予め定められた操作がされたときに、ＯＳＤ記憶部７０からチャンネル番号と、チャンネル番号に対応して受信する放送電波の異なる複数の周波数情報と、周波数情報から選択される選択周波数情報を読み出し、これらを映像復調回路６６に与えて映像に重畳して表示部４４に表示する。
【００２２】
操作部（リモコン）４８は、例えば図２のようになっていて、電源オン・オフキー４８ａを備えているとともに、テレビジョン放送の受信とビデオの再生などとを切り換える入力切換キー４８ｂ、放送局を選択するための１から１２までの番号が付されたチャンネル番号キー４８ｃを備えている。また、リモコン４８は、チャンネル番号を順次増加させたり減少させたりするチャンネルアップキー４８ｄとチャンネルダウンキー４８ｅを有する。さらに、リモコン４８は、スピーカ４２から出力される音量を調節するための音量増大キー４８ｆと音量減少キー４８ｇ、スピーカ４２の出力を零にする消音キー４８ｈを有している。
【００２３】
本実施形態のテレビジョン受信機本体２０は、リモコン４８のチャンネル番号キー４８ｃを介してテレビジョン放送局の選局情報(チャンネル番号)の選択が行なわれると、通常のテレビジョン受信機と同様に、選択された放送局からの放送電波を受信して映像を表示部４４に表示するとともに、選択されたチャンネル番号が表示部(表示画面)４４の右上に所定時間だけ表示される。また、テレビジョン受信機本体２０は、リモコン４８の予め定めた操作、例えばチャンネル番号キー４８ｃを押下するとともに、入力切換キー４８ｂを同時に押下すると、後述する選択周波数情報による設定メニューが映像に重畳して表示部４４の右上にオンスクリーン表示される。そして、選択周波数情報による設定メニューがオンスクリーン表示されているときに、リモコン４８の所定の操作、例えばチャンネルアップキー４８ｄまたはチャンネルダウンキー４８ｅの押下により、チューナ２４の受信周波数を選択された周波数に切換操作することができるようになっている。
【００２４】
この本実施形態の作用は、次の通りである。なお、以下の説明においては、チューナ２４の受信周波数がテレビジョン受信機の初期設定時に、各チャンネルについて受信周波数設定部７２において予め設定してある標準周波数と、この標準周波数に対して１ＭＨｚだけ高い周波数（新周波数）とを切り換えて受信する場合について説明する。
【００２５】
テレビジョン受信機本体２０がオンとなっている状態において、現在受信している選局情報から他の選局情報(例えば、チャンネル番号１０)がリモコン４８を介して選択されたとする。すなわち、リモコン４８のチャンネル番号キー４８ｃの「１０」が押下され、１０チャンネルの放送局が選択されると、その選局情報がマイコンからなる制御部４０に入力される。制御部４０は、選局情報に基づいて選択された受信局情報に対応して受信する局部発振周波数を受信周波数設定部７２から読み出してＲＡＭ（Ｒａｎｄｏｍ  Ａｃｃｅｓｓ  Ｍｅｍｏｒｙ）からなるレジスタに設定し、バスラインを介して局部発振周波数のデータをチューナ２４のＰＬＬ回路２８に与える。
【００２６】
チューナ２４は、高周波増幅回路２６がアンテナ２２の受信した高周波テレビジョン信号（放送電波）を増幅してミキサ３２に出力する。ＰＬＬ回路２８は、制御部４０から与えられた局部発振周波数情報に基づいて局部発振回路３０の発振周波数を制御するとともに、高周波増幅回路２６の同調周波数（受信周波数）を制御する。そして、高周波増幅回路２６が増幅した高周波テレビジョン信号と、局部発振回路３０の出力する局部発振周波数信号とは、ミキサ３２において混合され、中間周波信号に変換されてチューナ２４から出力される。このチューナ２４から出力された中間周波信号は、音声回路５０と映像回路６０とに入力される。
【００２７】
音声回路５０は、表面弾性波フィルタからなる音声用フィルタ５２が中間周波信号から音声中間周波信号を取り出して音声検波回路５４に送出する。音声検波回路５４は、音声中間周波信号を増幅して音声信号を検波する。そして、音声処理回路５６を介してスピーカ４２から音声として出力される。
【００２８】
一方、映像回路６０は、表面弾性波フィルタからなる映像用フィルタ６２が、入力した中間周波信号から両側隣接チャンネルの映像中間周波信号と音声信号、および受信チャンネルの音声信号とを除去した映像中間周波信号を抽出し、映像検波回路６４に入力する。映像検波回路６４は、映像用フィルタ６２が抽出した映像中間周波信号を増幅し、複合映像信号を取り出し映像復調回路６６に送出する。映像復調回路６６は、複合映像信号をＲＧＢの原色信号に色復調し、表示部４４に映像として表示する。
【００２９】
また、映像検波回路６４に接続した同期検出回路４６は、映像検波回路６４が出力する複合映像信号に含まれている同期信号を検出し、制御部４０に入力する。制御部４０は、同期検出回路４６から入力する同期信号に基づいて受信しているテレビジョン放送局の選局情報（チャンネル番号）が有信号か無信号かの検出を行なう。
【００３０】
ところで、新しく開局されたテレビジョン放送局の放送電波の周波数が従来からの周波数（標準周波数）よりも１ＭＨｚ高い周波数（新周波数）の場合、局部発振回路３０の出力周波数が標準周波数では新周波数の放送電波を受信することができない。そこで、本実施形態においては、テレビジョン受信機のリモコン４８の予め定められた操作により、ＯＳＤ記憶部７０から新しい放送電波の受信ができるように、選択周波数情報の切換操作を行なうことができるようになっている。図３は、放送電波の切換操作時における制御部４０の動作を説明するフローチャートである。
【００３１】
この図３に示した処理のプログラムは、リモコン４８の予め定められた操作により起動する。例えばチャンネル番号キー４８ｃの「１０」を押下状態で入力切換キー４８ｂを同時に押下すると、テレビジョン受信機本体２０に組み込んであるチャンネル周波数切換処理のプログラムが起動し、制御部４０は、図３のステップ１００に示したように、ＯＳＤ記憶部７０からチャンネル周波数設定メニューを読み出し、映像回路６０の映像復調回路６６に出力する。
【００３２】
映像復調回路６６は、前記したように放送電波から取り出された複合映像信号をＲＧＢの原色信号に色復調するとともに、この色復調信号に、制御部４０から入力したオンスクリーン表示用の信号を図４（１）に示したように、表示部４４に表示されている映像９０に重畳してチャンネル周波数設定メニュー９２を表示する。本実施形態においては、チャンネル周波数設定メニュー９２は、表示画面の右上に表示するようにしているが、表示画面の任意の位置に任意の大きさで表示することができる。
【００３３】
チャンネル周波数設定メニュー９２は、例えば図４（２）のようになっていて、受信しているテレビジョン放送局（受信局情報）である選局情報（チャンネル番号）表示欄９４と、複数の放送電波を示す周波数情報欄９６とを備えている。本実施形態の場合、周波数情報欄９６は、テレビジョン受信機の初期設定時の標準周波数（デフォルト指定周波数）を示す「標準」９６ａと、この標準周波数より１ＭＨｚだけ高い新周波数を示す「＋１ＭＨｚ」９６ｂとを有している。そして、チャンネル周波数設定メニュー９２には、選択された周波数情報が選択周波数情報（カーソル）９８によって示され、１０チャンネルの受信している放送電波が標準周波数であることを示している。
【００３４】
制御部４０は、ステップ１００においてチャンネル周波数設定メニュー９２を表示部４４にオンスクリーン表示すると、ステップ１０１に進んで受信する放送電波の選択操作（選択周波数情報の切換操作）がなされたか否かを判断する。選択周波数情報の切換操作が行なわれなかったときは、ステップ１００に戻る。また、制御部４０は、チャンネル周波数設定メニュー９２がオンスクリーン表示されているときに、例えばリモコン４８のチャンネルアップキー４８ｄ、またはチャンネルダウンキー４８ｅが操作されると、選択周波数情報の切換操作が行なわれたものとして、選択周波数情報（カーソル）９８を図４（２）の実線に示した「標準」９６ａの位置から、破線に示したように「＋１ＭＨｚ」９６ｂの位置に移動させる（ステップ１０２）。
【００３５】
そして、制御部４０は、選択された放送電波の周波数が標準であるか否かを判断する（ステップ１０３）。選択された周波数が標準である場合、制御部４０は、ステップ１０４のように、そのチャンネルについて予め受信周波数設定部７２に設定されている標準周波数を読み出し、図示しないレジスタに局部発振周波数として設定し、この局部発振周波数のデータをチューナ２４のＰＬＬ回路２８に与える（ステップ１０６）。また、制御部４０は、選択された放送電波が標準周波数でない場合、すなわち周波数情報欄９６の「＋１ＭＨｚ」９６ｂが選択された場合、ステップ１０３からステップ１０５に進み、標準周波数より１ＭＨｚ高い周波数（新周波数）を局部発振周波数としてレジスタに設定し、レジスタに設定した局部発振周波数のデータをチューナ２４のＰＬＬ回路２８に与える（ステップ１０６）。チューナ２４は、前記したようにアンテナ２２から入力する高周波テレビジョン信号の中から、与えられた局部発振周波数に対応した放送電波を選択受信する。
【００３６】
その後、制御部４０は、リモコン４８の予め定められた操作が行なわれると、新周波数を記憶部である受信周波数設定部７２に書き込む。本実施形態においては、リモコン４８の予め定められた操作は、チャンネル切換操作と、電源をオフする操作となっている。
【００３７】
すなわち、制御部４０は、局部発振周波数データをチューナ２４に与えたのち、チャンネルの切換操作、すなわち他のテレビジョン放送局の選択が行なわれたか否かを判断する（ステップ１０７）。チャンネル切換操作が行なわれた場合、制御部４０は、放送電波の選択操作によって新周波数を記憶部である受信周波数設定部７２にチャンネル番号に対応して書き込む（ステップ１０８）。そして、制御部４０は、新たに選択された放送局の選局情報に基づいて、受信周波数設定部７２に設定されているその放送局に対応した局部発振周波数を読み出し、チューナ２４のＰＬＬ回路２８に出力し（ステップ１０９）、このプログラムの処理を終了する。
【００３８】
一方、チャンネル切換操作が行なわれなかった場合、制御部４０は、ステップ１０７からステップ１１０に進み、リモコン４８の電源キー４８ａによって電源オフの操作がされたか否かを判断する。そして、電源オフの操作がされていない場合、ステップ１００に戻って上記のステップ１００〜ステップ１０７の処理を繰り返す。また、制御部４０は、ステップ１１０において電源オフの操作がされたと判断したきには、ステップ１１１に進んで新周波数を受信周波数設定部７２に書き込んだのち、電源をオフしてこのプログラムの処理を終了する（ステップ１１２）。
【００３９】
制御部４０は、選択周波数情報の切換操作が行なわれたチャンネルについて、再度受信する放送電波の変更が行なわれない限り、選択周波数情報の切換操作が行なわれたチャンネル（本実施形態ではチャンネル１０）が選択されると、受信周波数設定部７２に書き込まれた周波数を受信するようにチューナ２４を制御する。なお、制御部４０は、ステップ１００のチャンネル周波数設定メニュー９２を表示してから、または放送電波の切換操作が行なわれてから所定の時間（例えば１０秒間）経過すると、オンスクリーン表示しているチャンネル周波数設定メニュー９２を表示部４４から消去するようになっている。
【００４０】
このように本実施形態においては、表示部４４にオンスクリーン表示されるチャンネル周波数設定メニュー９２のチャンネル情報表示欄９４に、受信周波数設定部７２において記憶している周波数とは異なる放送電波の周波数情報を表示し、この表示された周波数情報をリモコン４８の予め定められた操作によって任意に選択できるようにし、この選択に応じて制御部４０がチューナ２４を制御して選択された周波数情報を受信するようにしているため、選択周波数情報の周波数が１ＭＨｚ以上異なる場合であっても、容易に選択周波数情報を切換操作することができる。このため、車両などによって移動しているときに、同じチャンネルでありながら、放送電波の周波数が異なるような地域を通過するときに、容易にテレビジョン放送の受信を行なうことができる。しかも、選択する放送電波の情報をオンスクリーン表示しているため、放送電波の選択操作（周波数の切換操作）を容易、確実に行なえる。
【００４１】
また、本実施形態においては、受信している選局情報（チャンネル番号）を変えたり電源をオフする等により、放送電波の選択操作による周波数を受信周波数設定部７２に設定し受信するようにしている。したがって、放送電波の選択操作による周波数情報が維持されるため、放送電波の切換操作の煩雑さがなくなる。
【００４２】
なお、上述した実施形態は、本発明の一実施形態であって、これに限定されるものではない。例えば、上述した実施形態においては、チャンネル周波数設定メニュー９２に表示された周波数情報が「標準」９６ａと「＋１ＭＨｚ」９６ｂとである場合について説明したが、標準に対して０．５ＭＨｚ異なっている場合や、２ＭＨｚ異なっている場合であってもよいし、また標準に対して−１ＭＨｚ等異なっている場合であってもよい。そして、上述した実施形態においては、周波数情報として表示された選択周波数情報が、標準と標準に対して＋１ＭＨｚ異なったものの２つである場合について説明したが、選択周波数情報は３つ以上であってもよい。
【００４３】
また、上述した実施形態においては、リモコン４８のチャンネル番号キー４８ｃと入力切換キー４８ｂとを同時に押下したときに、チャンネル周波数設定メニュー９２を表示する場合について説明したが、例えばチャンネル番号キー４８ｃを所定時間（例えば、５秒間）以上長押ししたときに、チャンネル周波数設定メニュー９２を表示するようにしてもよいし、予め定めた２つのキーを連続して押下したときにチャンネル周波数設定メニュー９２を表示するようにしてもよい。なお、チャンネル周波数設定メニュー９２は、表示部４４に表示されている映像９０に重畳して表示する場合について説明したが、映像９０をチャンネル周波数設定メニュー９２に入れ替えて表示するようにしてもよい。さらに、上述した実施形態においては、周波数情報として表示された放送電波を選択する場合に、チャンネルアップキー４８ｄまたはチャンネルダウンキー４８ｅを操作する場合について説明したが、音量調節キーによって放送電波の選択を行なってもよい。また、上述した実施形態においては、操作部がリモコン４８である場合につて説明したが、操作部はテレビジョン受信機本体２０に設けられているものも含む。
【００４４】
【発明の効果】
以上に説明したように、本発明によれば、異なる複数の放送電波の周波数情報を表示部に表示し、前記周波数情報から選択される選択周波数情報を切換操作するようにしたことにより、１つのチャンネル番号の放送電波に対して標準周波数と新周波数とがある場合に、切換操作を容易に行なうことができる。
【図面の簡単な説明】
【図１】  本発明の実施の形態に係るテレビジョン受信機のブロック図である。
【図２】  本発明の実施の形態に係る操作部の一例の説明図である。
【図３】  本発明の実施の形態に係るテレビ受信機の放送電波の切換選択操作を説明するフローチャートである。
【図４】  本発明の実施の形態に係るチャンネル周波数設定メニューの一例の説明図である。
【図５】  従来の周波数の微調整を説明するフローチャートである。
【符号の説明】
２０………テレビジョン受信機本体、２４………チューナ、４０………制御部、４４………表示部、４８………操作部（リモコン）、５０………音声回路、６０………映像回路、７０………オンスクリーン表示記憶部（ＯＳＤ記憶部）、７２………受信周波数設定部、９２………チャンネル周波数設定メニュー、９４………選局情報（チャンネル）表示欄、９６………周波数情報欄、９８………選択周波数情報（カーソル）。
【図１】
0004345257.tif 000002
【図２】
0004345257.tif 000003
【図３】
0004345257.tif 000004
【図４】
0004345257.tif 000005
【図５】
0004345257.tif 000006